(57)【要約】  携帯端末は、ユーザ設定部（１０１）、データ変換部（１０６）、及び表示変換部（１０７）を含む。ユーザ設定部（１０１）は、表示用データのコントラスト差を変換するための変換データとして、複数の変換データのうちいずれの変換データを用いるかを設定する。また、データ変換部（１０６）は、ユーザ設定判定部（１０４）によって設定された変換データを用いて、表示用データのコントラスト差を小さくする処理を行う。また、表示変換部（１０７）は、データ変換部（１０６）によって変換された表示用データに基づいて、表示画面の表示内容を変更する。そして、表示用データのコントラスト差を変換するための変換データとして、複数の変換データのうちいずれの変換データを用いるかを設定する。設定した変換データを用いて、表示用データのコントラスト差を小さくする処理を行うことによって、周囲からの覗き見を防止する。
2010084678.tif 000002
【特許請求の範囲】
【請求項１】
表示用データのコントラスト差を変換するための変換データとして、複数の変換データのうちのいずれの変換データを用いるかを設定する変換データ設定部と、
前記変換データ設定部によって設定された変換データを用いて、前記表示用データのコントラスト差を小さくする処理を行うデータ変換部と、
前記データ変換部によって変換された前記表示用データに基づいて、表示画面の表示内容を変更する表示変更部と、を備えたことを特徴とする携帯端末。
【請求項２】
請求項１記載の携帯端末であって、
変換データ設定部は、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを設定することを特徴とする携帯端末。
【請求項３】
照度センサを用いて周囲の照度を判定し、判定した照度に基づいて表示用データのコントラスト差を変換するための変換データとして、複数の変換データのうちのいずれの変換データを用いるかを判定する変換データ判定部と、
前記変換データ判定部によって判定された変換データを用いて、前記表示用データのコントラスト差を小さくする処理を行うデータ変換部と、
前記データ変換部によって変換された前記表示用データに基づいて、表示画面の表示内容を変更する表示変更部と、を備えたことを特徴とする携帯端末。
【請求項４】
請求項３記載の携帯端末であって、
変換データ判定部は、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを判定することを特徴とする携帯端末。
【請求項５】
請求項３又は請求項４記載の携帯端末であって、
変換データ判定部は、照度が所定の閾値以上であるか否かを判定し、照度が所定の閾値以上であるか否かの判定結果に基づいて、複数の変換データのうちのいずれの変換データを用いるかを判定することを特徴とする携帯端末。
【請求項６】
請求項５記載の携帯端末であって、
変換データ判定部は、照度が所定の閾値以上であると判定すると、変換データとして、表示画面が全体的に白色に近づくようにコントラスト差を変換するための白色系変換データを用いると判定し、
照度が所定の閾値未満であると判定すると、変換データとして、表示画面が全体的に黒色に近づくようにコントラスト差を変換するための黒色系変換データを用いると判定することを特徴とする携帯端末。
【請求項７】
請求項３又は請求項４記載の携帯端末であって、
変換データ判定部は、照度を複数の閾値と比較する処理を行い、照度を複数の閾値と比較した結果に基づいて、複数の変換データのうちのいずれの変換データを用いるかを判定することを特徴とする携帯端末。
【請求項８】
請求項７に記載の携帯端末であって、
変換データ判定部は、照度が第１の閾値以上であると判定すると、変換データとして、表示画面が全体的に白色に近づくようにコントラスト差を変換するための白色系変換データを用いると判定し、
照度が第１の閾値未満であり且つ第２の閾値以上であると判定すると、変換データとして、表示画面が全体的に白色と黒色との間の中間色に近づくようにコントラスト差を変換するための中間色系変換データを用いると判定し、
照度が第２の閾値未満であると判定すると、変換データとして、表示画面が全体的に黒色に近づくようにコントラスト差を変換するための黒色系変換データを用いると判定することを特徴とする携帯端末。
【請求項９】
表示用データのコントラスト差を変換するための変換データとして、複数の変換データのうちのいずれの変換データを用いるかを設定する変換データ設定ステップと、
設定した変換データを用いて、前記表示用データのコントラスト差を小さくする処理を行うデータ変換ステップと、
変換した前記表示用データに基づいて、表示画面の表示内容を変更する表示変更ステップと、を含むことを特徴とする覗き見防止方法。
【請求項１０】
請求項９記載の覗き見防止方法であって、
変換データ設定ステップで、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを設定することを特徴とする覗き見防止方法。
【請求項１１】
請求項９記載の覗き見防止方法であって、
照度センサを用いて周囲の照度を判定し、判定した照度に基づいて表示用データのコントラスト差を変換するための変換データとして、複数の変換データのうちのいずれの変換データを用いるかを判定する変換データ判定ステップと、
判定した変換データを用いて、前記表示用データのコントラスト差を小さくする処理を行うデータ変換ステップと、
変換した前記表示用データに基づいて、表示画面の表示内容を変更する表示変更ステップと、を含むことを特徴とする覗き見防止方法。
【請求項１２】
請求項１１記載の覗き見防止方法であって、
変換データ判定ステップで、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを判定することを特徴とする覗き見防止方法。
【請求項１３】
表示用データのコントラスト差を変換するための変換データとして、複数の変換データのうちのいずれの変換データを用いるかを設定する変換データ設定処理と、
設定した変換データを用いて、前記表示用データのコントラスト差を小さくする処理を行うデータ変換処理と、
変換した前記表示用データに基づいて、表示画面の表示内容を変更する表示変更処理と、をコンピュータに実行させることを特徴とする覗き見防止用プログラム。
【請求項１４】
請求項１３記載の覗き見防止用プログラムであって、
変換データ設定処理で、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを設定する処理を、コンピュータに実行させることを特徴とする覗き見防止用プログラム。
【請求項１５】
請求項１３記載の覗き見防止用プログラムであって、
照度センサを用いて周囲の照度を判定し、判定した照度に基づいて表示用データのコントラスト差を変換するための変換データとして、複数の変換データのうちのいずれの変換データを用いるかを判定する変換データ判定処理と、
判定した変換データを用いて、前記表示用データのコントラスト差を小さくする処理を行うデータ変換処理と、
変換した前記表示用データに基づいて、表示画面の表示内容を変更する表示変更処理と、をコンピュータに実行させることを特徴とする覗き見防止用プログラム。
【請求項１６】
請求項１５記載の覗き見防止用プログラムであって、
変換データ判定処理で、変換データとして、表示画面が全体的に白色に近づくようにコントラスト差を変換するための白色系変換データと表示画面が全体的に黒色に近づくようにコントラスト差を変換するための黒色系変換データとの、いずれの変換データを用いるかを判定する処理をコンピュータに実行させることを特徴とする覗き見防止用プログラム。
【発明の詳細な説明】
【技術分野】
【０００１】
本発明は、携帯端末、覗き見防止方法及び覗き見防止用プログラムに関する。
【背景技術】
【０００２】
携帯電話機等の携帯端末（以下、ＰＤＡと記載する）を用いる場合、ユーザは、電車やバス等の移動機関や公共設備等の様々な場所でＰＤＡを利用する。従って、他人がいる環境下でＰＤＡは利用される。このような環境下では、ＰＤＡの表示画面を他人に覗き見されることがあり、プライバシー保護の観点から好ましくない。そこで、ＰＤＡの表示部に表示する表示用データのコントラスト差を小さくすることによって、表示画面を周囲から見え難くする覗き見防止機能を備えたＰＤＡが提案されている。
例えば、特開２００８−２０７５０には、動作モードを狭い視野モードに設定することにより表示画面の階調差を小さくしてＰＤＡの表示画面を覗き見され難くする技術が開示されている。また、特開２００３−１５０２９１には、ユーザの心身（ｂｏｄｙ−ａｎｄ−ｓｏｕｌ）特徴や利用環境に応じて、ＰＤＡの表示画面の表示モード（文字サイズやコントラスト等）を変更する技術が開示されている。
【発明の概要】
【発明が解決しようとする課題】
【０００３】
しかし、覗き見を防止ためのコントラストの調整には、種々の方法がある。例えば、表示画面が全体的に黒色に近くなるようにコントラスト差を小さくする方法がある。また、表示画面が全体的に白色に近くなるようにコントラスト差を小さくする方法もある。
表示画面が全体的に黒色に近くなるようにコントラスト差を小さくすると、ＰＤＡの周囲が明るい場合にはＰＤＡを正面から見ても表示画面が見難くなる。このように周囲が明るい場合には、ＰＤＡの表示画面が全体的に白色に近くなるようにコントラスト差を調整した方が好ましい。
一方、周囲が暗い場合には、表示画面が全体的に白色に近くなるようにコントラスト差を小さくすると、ＰＤＡを正面から見ても表示画面が見難くなる。このように周囲が暗い場合には、表示画面が全体的に黒色に近くなるようにコントラスト差を調整した方が好ましい。
特開２００８−２０７５０等に記載されたＰＤＡの覗き見防止方法を用いれば、覗き見防止機能を使用するか否かを設定することができる。しかし、覗き見防止機能を有効にした場合に、表示される表示画面が黒色に近くなるように調整し、又は白色に近くなるように調整することは（以下、色調の調整ともいう）、ＰＤＡにより一義的に決められている。従って、ユーザの好みや利用環境に応じて色調の調整が行えない。
また、特開２００３−１５０２９１が開示する技術を用いれば、ユーザの好みや利用環境に応じて表示画面の全体的のコントラスト等を変更することができる。しかし、覗き見は、防止できない。
そこで、本発明の主目的は、覗き見防止機能を有する携帯端末において、ユーザの嗜好に合う見やすい態様で覗き見が防止できる携帯端末、覗き見防止方法及び覗き見防止用プログラムを提供することである。
【課題を解決するための手段】
【０００４】
本発明による携帯端末は、表示用データのコントラスト差を変換するための変換データとして、複数の変換データのうちのいずれの変換データを用いるかを設定する変換データ設定部と、変換データ設定部によって設定された変換データを用いて、表示用データのコントラスト差を小さくする処理を行うデータ変換部と、データ変換部によって変換された表示用データに基づいて、表示画面の表示内容を変更する表示変更部とを備えたことを特徴とする。
本発明による携帯端末の他の態様は、照度センサを用いて周囲の照度を判定し、判定した照度に基づいて表示用データのコントラスト差を変換するための変換データとして、複数の変換データのうちのいずれの変換データを用いるかを判定する変換データ判定部と、変換データ判定部によって判定された変換データを用いて、表示用データのコントラスト差を小さくする処理を行うデータ変換部と、データ変換部によって変換された表示用データに基づいて、表示画面の表示内容を変更する表示変更部とを備えたことを特徴とする。
本発明による覗き見防止方法は、表示用データのコントラスト差を変換するための変換データとして、複数の変換データのうちのいずれの変換データを用いるかを設定する変換データ設定ステップと、設定した変換データを用いて、表示用データのコントラスト差を小さくする処理を行うデータ変換ステップと、変換した表示用データに基づいて、表示画面の表示内容を変更する表示変更ステップとを含むことを特徴とする。
本発明による覗き見防止方法の他の態様は、照度センサを用いて周囲の照度を判定し、判定した照度に基づいて表示用データのコントラスト差を変換するための変換データとして、複数の変換データのうちのいずれの変換データを用いるかを判定する変換データ判定ステップと、判定した変換データを用いて、表示用データのコントラスト差を小さくする処理を行うデータ変換ステップと、変換した表示用データに基づいて、表示画面の表示内容を変更する表示変更ステップとを含むことを特徴とする。
本発明による覗き見防止用プログラムは、コンピュータに、表示用データのコントラスト差を変換するための変換データとして、複数の変換データのうちのいずれの変換データを用いるかを設定する変換データ設定処理と、設定した変換データを用いて、表示用データのコントラスト差を小さくする処理を行うデータ変換処理と、変換した表示用データに基づいて、表示画面の表示内容を変更する表示変更処理とを実行させるためのものである。
本発明による覗き見防止用プログラムの他の態様は、コンピュータに、照度センサを用いて周囲の照度を判定し、判定した照度に基づいて表示用データのコントラスト差を変換するための変換データとして、複数の変換データのうちのいずれの変換データを用いるかを判定する変換データ判定処理と、判定した変換データを用いて、表示用データのコントラスト差を小さくする処理を行うデータ変換処理と、変換した表示用データに基づいて、表示画面の表示内容を変更する表示変更処理とを実行させるためのものである。
【発明の効果】
【０００５】
本発明によれば、表示用データのコントラスト差を変換するための変換データとして、複数の変換データのうちのいずれの変換データを用いるかを設定する。そして、設定した変換データを用いて、表示用データのコントラスト差を小さくする処理を行うことによって、携帯端末の周囲からの覗き見を防止する。従って、ユーザの嗜好に合う見やすい態様で周囲からの覗き見を防止することができる。
【図面の簡単な説明】
【０００６】
図１は、本発明の第１の実施形態にかかる覗き見防止方法を用いた携帯端末のブロック図である。
図２は、本発明の第２の実施形態にかかる覗き見防止方法を用いた携帯端末のブロック図である。
図３は、第２の実施形態にかかる覗き見防止方法を用いた携帯端末の機能ブロック図である。
図４は、第２の実施形態にかかる表示用データを表示部に出力する際に用いるデータ変換テーブルである。
図５は、第２の実施形態にかかる表示処理部が表示用データのコントラスト差を変化させない通常時の変換を行う場合のデータ変換テーブルである。
図６は、第２の実施形態にかかる通常時の表示用データの変換後の出力データを示す図である。
図７は、第２の実施形態にかかる表示処理部が全体的に白色に近づくように表示用データのコントラスト差を小さくする場合の白色系データ変換テーブルである。
図８は、第２の実施形態にかかる白色系変換データを用いて表示用データを変換した後の出力データを示す図である。
図９は、第２の実施形態にかかる表示処理部が全体的に黒色に近づくように表示用データのコントラスト差を小さくする場合の黒色系データ変換テーブルである。
図１０は、第２の実施形態にかかる黒色系変換データを用いて表示用データを変換した後の出力データを示す図である。
図１１は、第２の実施形態にかかる携帯端末が行う覗き見防止処理のフローチャートである。
図１２は、本発明の第３の実施形態にかかる覗き見防止方法を用いた携帯端末のブロック図である。
図１３は、第３の実施形態にかかる覗き見防止方法を用いた携帯端末の機能ブロック図である。
図１４は、第３の実施形態にかかる照度センサが検出する照度と、表示用データの変換色との関係を示す図である。
図１５は、第３の実施形態にかかる携帯端末が行う覗き見防止処理のフローチャートである。
図１６は、第３の実施形態にかかる表示処理部が全体的に中間色に近づくように表示用データのコントラスト差を小さくする場合の中間色系データ変換テーブルである。
図１７は、第３の実施形態にかかる中間色系変換データを用いて表示用データを変換した後の出力データである。
図１８は、本発明の第４の実施形態にかかる照度センサが検出する照度と、表示用データの変換色との関係を示す図である。
図１９は、第４の実施形態における携帯端末が行う覗き見防止処理のフローチャートである。
【発明を実施するための最良の形態】
【０００７】
本発明にかかる覗き見防止方法を用いた携帯端末（以下、ＰＤＡと記載する）の概要は、以下の通りである。ＰＤＡは、表示部に表示する表示用データのコントラスト差を調整することによって、覗き見を防止する覗き見防止機能を有する。覗き見防止機能を有効に設定した場合の表示部の色調の調整方法は、ユーザにより予め任意に設定できる。
また、本発明の他の態様は、表示部に表示する表示用データのコントラスト差を利用した覗き見防止機能を有するＰＤＡにおいて、覗き見防止機能を有効に設定した場合の表示部の色調の調整方法を、照度センサが感知する照度により自動的に変更できる機能を有する。
また、そのように構成したＰＤＡにおいて、照度センサが感知する照度により自動的に表示部の色調の調整方法を変更するための閾値を、予めＰＤＡで設定できるように構成する。
また、そのように構成したＰＤＡにおいて、照度センサが感知する照度により自動的に表示部の色調の調整方法を変更するための閾値を、予めＰＤＡで複数設定できるように構成してもよい。
上記のように構成することによって、本発明では、表示部に表示する表示用データのコントラスト差を調整することによって覗き見を防止する覗き見防止機能を有効に設定した場合に、ユーザの嗜好に合う見やすい態様（ユーザにとって見やすい色調や表示色）で周囲からの覗き見を防止することができる。
また、照度センサを用いてユーザに嗜好に合う見やすい態様に自動的に変更して周囲からの覗き見を防止することができる。
また、照度センサにより自動に色調の調整方法を変更する場合の閾値を複数設定できることも可能としている。
従って、コントラスト差を調整することによって覗き見を防止する覗き見防止機能を使用する場合に、表示部の表示状態をユーザの嗜好に合った見やすい色調とすることが可能であり、また照度センサを用いて自動的に色調を変更することも可能である。そのため、ユーザにとって使い勝手の良いＰＤＡを提供することができる。
＜第１の実施形態＞
本発明の第１の実施形態を図を参照して説明する。図１は、本発明の第１の実施形態にかかる覗き見防止方法を用いたＰＤＡのブロック図である。
図１に示すように、ＰＤＡは、最小の構成要素として、ユーザ設定部１０１、データ変換部１０６、及び表示変換部１０７を含む。
ユーザ設定部１０１は、表示用データのコントラスト差を変換するための変換データとして、複数の変換データのうちのいずれの変換データを用いるかを設定する。
また、データ変換部１０６は、ユーザ設定部１０１によって設定された変換データを用いて、表示用データのコントラスト差を小さくする処理を行う。また、表示変換部１０７は、データ変換部１０６によって変換された表示用データに基づいて表示を変更する。
このように、表示用データのコントラスト差を変換するための変換データとして、複数の変換データのうちのいずれの変換データが用いられるかが、設定される。そして、設定された変換データを用いて表示用データのコントラスト差を小さくする処理を行う。従って、ユーザの嗜好に合う見やすい態様で覗き見が防止できる。
＜第２の実施形態＞
本発明の第２の実施形態を図面を参照して説明する。図２は、第２の実施形態にかかるＰＤＡのブロック図である。なお、本実施形態では、ＰＤＡとして携帯電話を例に説明するが、ＰＨＳ（Ｐｅｒｓｏｎａｌ  Ｈａｎｄｙ−ｐｈｏｎｅ  Ｓｙｓｔｅｍ）端末等であってもよい。
ＰＤＡは、制御部１、無線部２、アンテナ３、電源部４、送話部５、受話部６、スピーカ７、操作部８、表示部９、及び記憶装置１０を含む。
図２に示すように、ＰＤＡは、制御部１と無線部２とを含む。制御部１と無線部２との間で各種データの送受信が行われる。無線信号の送受信に使用されるアンテナ部３が、無線部２に接続されている。そして、制御部１の制御に従って無線信号の送受信が行なわれる。
制御部１は、プログラムに従って動作するＣＰＵ（Ｃｅｎｔｒａｌ  Ｐｒｏｃｅｓｓｉｎｇ  Ｕｎｉｔ）を含むと共に、電源部４、送話部５、受話部６、スピーカ７、操作部８、表示部９、記憶装置１０が接続される。また、制御部１は、電源部４、送話部５、受話部６、スピーカ７、操作部８、表示部９及び記憶装置１０と各種データを送受信する。
電源部４は、ＰＤＡに電力を供給する。送話部５は、ユーザが発する音声信号を電気信号に変換して、制御部１に出力する。受話部６は、制御部１からの電気信号を音声信号に変換して出力することによって、通話相手の音声をユーザに伝える。スピーカ７は、音楽、音声、報知音等の音を出力することによって、各種情報をユーザに知らせる。操作部８は、ＰＤＡの発着信操作や各種機能の操作を行うために用いられる。表示部９は、制御部１の制御に従って各種情報を表示する。
記憶装置１０は、メモリ等の記憶媒体によって実現され、ＰＤＡの状態を示す情報等の各種データを記憶する。制御部１は、表示部９に出力する表示用データを変換する表示処理部１１を含む。記憶装置１０は、表示処理部１１による変換処理時に使用する変換データや設定値を記憶するとともに、ＰＤＡの各種設定情報を記憶する設定記憶部１２を含む。
なお、図２で示したＰＤＡにおける無線部２と各基地局等との通信を行う無線通信システムに関する接続や構成については、公知技術であるので説明を省略する。
次に、覗き見防止方法を用いたＰＤＡの機能構成について説明する。図３は、覗き見防止方法を用いたＰＤＡの機能ブロック図である。
ＰＤＡは、ユーザ設定部１０１、設定記憶部１２、プライバシーアングル設定部１０２、プライバシーアングル設定判定部１０３、ユーザ設定判定部１０４、変換データ読込部１０５、データ変換部１０６、表示変更部１０７を含む。
設定記憶部１２は、表示用データのコントラスト差を変更するための変換データを記憶する。第２の実施形態では、設定記憶部１２は、変換データとして、白色系変換データ、黒色系変換データ、通常表示用データを記憶する。白色系変換データは、表示画面が全体的に白色に近くなるようにコントラスト差を小さくするための変換データである。黒色系変換データは、表示画面が全体的に黒色に近くなるようにコントラスト差を小さくするための変換データである。通常表示用データは、表示用データのコントラスト差を変化させない変換データである。
また、設定記憶部１２は、覗き見防止処理を実行する際に用いる変換データとして白色系変換データ又は黒色系変換データのいずれを用いるかを示す設定情報をユーザ設定データ情報として記憶する。また、設定記憶部１２は、覗き見防止機能（以下、プライバシーアングルともいう）をオン状態又はオフ状態のいずれに設定しているかを示す設定情報をプライバシーアングル設定情報として記憶する。
ユーザ設定部１０１は、プログラムに従って動作するＰＤＡのＣＰＵ及び操作部８によって実現される。
ユーザ設定部１０１は、ユーザの操作に従って、覗き見防止処理を実行する際に用いる変換データとして白色系変換データ又は黒色系変換データのいずれを用いるかを設定する。
例えば、ユーザ設定部１０１は、白色系データを用いる旨の設定が行われた場合には、設定記憶部１２に記憶されているユーザ設定データ情報を白色系データが適用されるように更新（例えば、設定値を変更）する。また、ユーザ設定部１０１は、黒色系データを用いる旨の設定が行われた場合には、設定記憶部１２に記憶されているユーザ設定データ情報を黒色系データが適用されるように更新（例えば、設定値を変更）する。
プライバシーアングル設定部１０２は、プログラムに従って動作するＰＤＡのＣＰＵ及び操作部８によって実現される。プライバシーアングル設定部１０２は、ユーザの操作に従って、プライバシーアングルをオン状態又はオフ状態に設定する。例えば、プライバシーアングル設定部１０２は、プライバシーアングルがオン状態に設定された場合には、設定記憶部１２に記憶されているプライバシーアングル設定情報をオン状態が適用されるように更新（例えば、設定値を変更）する。
また、プライバシーアングル設定部１０２は、プライバシーアングルがオフ状態に設定された場合には、設定記憶部１２に記憶されているプライバシーアングル設定情報をオフ状態が適用されるように更新（例えば、設定値を変更）する。
プライバシーアングル設定判定部１０３は、プログラムに従って動作するＰＤＡのＣＰＵによって実現される。プライバシーアングル設定判定部１０３は、プライバシーアングル設定部１０２によってプライバシーアングルがオン状態又はオフ状態に設定されたか否かを判定する。
ユーザ設定判定部１０４は、プログラムに従って動作するＰＤＡのＣＰＵによって実現される。ユーザ設定判定部１０４は、プライバシーアングル設定判定部１０３によってプライバシーアングルがオン状態に設定されたと判定されたときに、変換データとして白色系変換データ又は黒色系変換データのいずれが設定されているかを判定する。
例えば、ユーザ設定判定部１０４は、設定記憶部１２が記憶するユーザ設定データ情報が、白色系変換データ又は黒色系変換データのいずれに設定されているかを判定する。
変換データ読込部１０５は、プログラムに従って動作するＰＤＡのＣＰＵによって実現される。変換データ読込部１０５は、ユーザ設定判定部１０４の判定結果に基づいて、設定記憶部１２から白色系変換データ又は黒色系変換データを読み込む。
なお、ユーザ設定判定部１０４は、プライバシーアングル設定判定部１０３によってプライバシーアングルがオフ状態に設定されていると判定した場合には、変換データとして通常表示用データを設定記憶部１２から読み込む。
データ変換部１０６は、プログラムに従って動作するＰＤＡのＣＰＵによって実現される。データ変換部１０６は、変換データ読込部１０５が読み込んだ変換データに基づいて、コントラスト差が小さくなるように表示用データを変換する。
表示変更部１０７は、プログラムに従って動作するＰＤＡのＣＰＵ及び表示部９によって実現される。表示変更部１０７は、データ変換部１０６によって変換された表示用データに基づいて、表示部９に表示する表示内容を変更する。即ち、表示変更部１０７は、プライバシーアングルがオン状態に設定された場合には、変換後の表示用データに基づいてコントラスト差が小さくなるように表示部９の表示を変更する。これによりＰＤＡの表示画面は、覗き見し難くなるように制御する。
データ変換部１０６及び表示変更部１０７によって実行される処理は、例えば、図２で示した表示処理部１１によって実行される。
なお、本実施形態において、ＰＤＡの記憶装置１０は、覗き見防止処理を行うための各種プログラムを記憶している。例えば、ＰＤＡの記憶装置１０は、コンピュータに、表示用データのコントラスト差を変換するための変換データとして、複数の変換データのうちのいずれの変換データを用いるかを設定する変換データ設定処理と、設定した変換データを用いて、表示用データのコントラスト差を小さくする処理を行うデータ変換処理と、変換した表示用データに基づいて、表示画面の表示内容を変更する表示変更処理とを実行させるための覗き見防止用プログラムを記憶している。
次に、動作について説明する。まず、表示処理部１１が表示部９に情報を表示させる際に変換データを記憶（例えば、制御部１１が備えるＲＡＭ等に記憶）する場合について説明する。
図４は、表示用データを表示部９に出力する際に用いるデータ変換テーブルである。図４では、表示用画素データの赤、緑及び青は、それぞれＲ、Ｇ及びＢで表示されている。また、各色データが６ｂｉｔで、合計１８ｂｉｔの表示用画素データである場合を示している。そして、表示処理部１１は、アドレスに従って図４に示すテーブルを用いて変換前の表示用データを変換し、変換後のＲＧＢデータを生成する。例えば、変換前の表示用データのアドレスが「２」で、「赤」のデータであった場合、表示処理部１１は、変換後のデータを「Ｒ２」とする。なお、実際には、表示処理部１１は、Ｒ、Ｇ及びＢそれぞれについてデータ変換を行う。
図５は、表示処理部１１が表示用データのコントラスト差を変化させない通常時の変換を行う場合のデータ変換テーブルである。ここで、ＲＧＢデータは、数値が小さいときには黒色に近づき、数値が大きいときには白色に近づくものとする。
通常表示を行う場合には、変換前のデータと変換後のデータとのＲＧＢの値が同じ値であるので、結果的に元のデータと同じ表示用データが表示部９に出力されることになる。即ち、図５では、プライバシーアングルがオフ状態である場合を示している。
図６は、通常時の表示用データの変換後の出力データを示す。図６では、変換前の表示用の元データを横軸に表し、変換後の出力データを縦軸に表わしている。図６に示すように、変換後の出力データが表現できる画素のコントラスト差は、元のデータのコントラスト差と同じであり、０から６３までの６４段階である。
図７は、表示処理部１１が全体的に白色に近づくように表示用データのコントラスト差を小さくする場合の白色系データ変換テーブルである。即ち、図７では、プライバシーアングルがオン状態に設定され、変換データとして白色系変換データが用いられる場合を示している。図７に示すように、白色系変換データを用いるように設定されている場合には、元データに対して全体的にデータのコントラスト差を小さくし、かつ、ＲＧＢの値が白色系に近くなるようにデータ変換が行われる。
図８は、白色系変換データを用いて表示用データを変換した後の出力データを示す図である。なお、図８では、通常時における出力データと白色系変換データを用いて変換した出力データとが比較のために併せて示されている。なお、通常時における出力データは、プライバシーアングルがオフ状態に設定されている場合の変換後出力データである。白色系変換データを用いて変換した出力データは、プライバシーアングルがオン状態であり、かつ、白色系変換データが用いられる場合の変換後出力データである。
図８に示すように、通常時の出力データのコントラスト差が０から６３までの６４段階であるのに対して、白色系の出力データのコントラスト差は３２から６４までの３２段階である。従って、変換後のコントラスト差が小さくなり、周囲からＰＤＡの表示画面の内容が見え難くなる（覗き見防止効果が得られる）。
なお、図８においては、変換後のコントラスト差が、元のデータのＲＧＢの値の差の半分となる場合を示している。しかし、コントラスト差をどの程度小さくするかは、本実施形態で示したものに限らず、例えば、元データのＲＧＢの値の差の３分の１や３分の２に小さくするものであってもよい。
図９は、表示処理部１１が全体的に黒色に近づくように表示用データのコントラスト差を小さくする場合の黒色系データ変換テーブルである。即ち、図９では、プライバシーアングルがオン状態に設定され、変換データとして黒色系変換データが用いられる場合を示している。図９に示すように、黒色系変換データが用いられる場合には、元データに対して全体的にデータのコントラスト差を小さくし、かつＲＧＢの値が黒色系に近くなるようにデータ変換が行われる。
図１０は、黒色系変換データを用いて表示用データを変換した後の出力データを示す図である。なお、図１０では、通常時における出力データと黒色系変換データを用いて変換した出力データとが比較のために併せて示されている。なお、通常時における出力データは、プライバシーアングルがオフ状態に設定されている場合の変換後出力データである。黒色系変換データを用いて変換した出力データは、プライバシーアングルがオン状態であり、かつ、黒色系変換データが用いられる場合の変換後出力データである。
図１０に示すように、通常時の出力データのコントラスト差が０から６３までの６４段階であるのに対して、黒色系変換データが用いられた場合の出力データのコントラスト差は０から３１までの３２段階である。従って、変換後のコントラスト差が小さくなり、周囲からＰＤＡの表示画面の内容が見え難くなる（覗き見防止効果が得られる）。
なお、図１０においては、変換後のコントラスト差が、元のデータのＲＧＢの値の半分となる場合を示している。しかし、コントラスト差をどの程度小さくするかは、本実施形態で示したものにかぎらず、例えば、元データのＲＧＢの値の差の３分の１や３分の２に小さくするものであってもよい。
図１１は、制御部が行う覗き見防止処理の一例を示すフローチャートである。ユーザは、プライバシーアングルをオン状態又はオフ状態に設定したい場合には、プライバシーアングルをオン状態又はオフ状態にする設定を行う。このユーザ設定により、制御部は、設定記憶部１２が記憶するプライバシーアングル設定情報を更新等によりプライバシーアングルをオン状態又はオフ状態に設定する。
また、プライバシーオンアングルをオン状態に設定する場合には、ユーザは、さらに覗き見防止処理を実行する際に用いる変換データとして白色系変換データ又は黒色系変換データのいずれを用いるかを設定する。このユーザ設定により、制御部は、設定記憶部１２が記憶するユーザ設定データ情報等を更新することにより、白色系変換データ又は黒色系変換データのいずれを用いるかを設定する。
なお、制御部は、プライバシーアングルの設定が行われる前に、設定記憶部１２が記憶するユーザ設定データ情報等を更新することにより、白色系変換データ又は黒色系変換データのいずれを用いるかを予め設定していてもよい。
制御部は、所定のタイミングで、プライバシーアングルのオン／オフの設定が変更されたか否かを判定する（ステップＳ１０１）。例えば、プライバシーアングルの設定が行われたことをトリガとして、設定記憶部１２に記憶されているプライバシーアングル設定情報の内容を確認し、プライバシーアングルのオン／オフの設定が変更されたか否かを判定する。なお、制御部は、所定時間毎に、設定記憶部１２に記憶されているプライバシーアングル設定情報の内容を確認し、プライバシーアングルのオン／オフの設定が変更されたか否かを判定するようにしてもよい。
制御部は、ステップＳ１０１においてステッププライバシーアングルの設定が変更されていないと判定した場合には、そのまま処理を終了する。また、制御部は、ステップＳ１０１においてプライバシーアングルの設定が変更されたと判定した場合には、ステップＳ１０２の処理に移行する。
次いで、ステップＳ１０２では、制御部は、プライバシーアングルがオン状態に変更されたのか否かを判定する。オン状態に変更されたと判定した場合、制御部は、設定記憶部１２に記憶されているユーザ設定データ情報を確認する（ステップＳ１０３）。
第２実施形態では、前述したように、プライバシーアングルがオン状態に設定されている時に、白色系変換データ又は黒色系変換データのいずれかを用いるかを設定するためのユーザ設定データ情報が設定記憶部１２に記憶されている。このユーザ設定データ情報の内容は、予めユーザが任意に設定することが可能である。
次いで、制御部は、ユーザ設定データ情報に基づいて、白色系変換データを用いることに設定されているか否かを判定する（ステップＳ１０４）。
白色系変換データが用いられるように設定されている場合には、制御部は、ステップＳ１０５の処理に移行する。そして、制御部は、変換データとして白色系変換データを設定記憶部１２から読み込む（ステップＳ１０５）。
ステップＳ１０４で白色系変換データを用いることに設定されていない（即ち、黒色系変換データを用いることに設定されている）場合には、制御部は、ステップＳ１０６の処理に移行する。
そして、制御部は、変換データとして黒色系変換データを設定記憶部１２から読み込む（ステップＳ１０６）。
ステップＳ１０２においてプライバシーアングルがオフ状態に設定されていると判定した場合には、制御部は、ステップＳ１０７の処理に移行する。即ち、この場合、プライバシーアングルがオン状態からオフ状態に設定変更されたときである。そのため、制御部は、設定記憶部１２から通常時の通常表示データの読み込みを行う（ステップＳ１０７）。
次いで、制御部は、ステップＳ１０５、Ｓ１０６又はＳ１０７で読み込んだデータを、表示処理部１１を用いてデータ変換用テーブルとして記憶（例えば、制御部１１が備えるＲＡＭ等に記憶）する。そして、制御部は、表示部９に表示する表示用データを、表示処理部１１に記憶するデータ変換用テーブルに基づいて変換することによってコントラスト差を小さくして、変換後の表示用データを表示部９に出力する（ステップＳ１０８）。
白色系変換データを用いる場合には、制御部は、図７及び図８に示す出力データに基づき表示部９に表示させる。また、黒色系変換データを用いる場合には、制御部は、図９及び図１０に示す出力データに基づき表示部９に表示させる。また、通常表示データを用いる場合には、制御部は、図５及び図６に示す出力データに基づき表示部９に表示させる。
なお、プライバシーアングルがオフ状態に設定されていると判定した場合には、制御部は、ステップＳ１０８の変換処理を行わず、表示用データをそのまま表示部９に出力するようにしてもよい。そのようにすれば、通常表示データが不要となり、処理負担が軽減できる。
以上のように、本実施形態によれば、ユーザ操作に応じて表示用データのコントラスト差を変換するための変換データが設定される。そして、設定された変換データを用いて、表示用データのコントラスト差を小さくする処理を行うことによって、覗き見が防止できる。即ち、プライバシーアングル機能を有効に設定することにより表示部９の表示画面の色調を調整する方法が任意に設定できる。従って、ユーザの嗜好に合う見やすい態様で周囲からの覗き見を防止することができ、使い勝手を向上させることができる。
［００８３］
＜第３の実施形態＞
次に、本発明の第３の実施形態を図面を参照して説明する。なお、第２の実施形態と同一構成に関しては同一符号を用いて説明を適宜省略する。図１２は、第３の実施形態における覗き見防止方法を用いたＰＤＡのブロック図である。図１３は、第３の実施形態における覗き見防止方法を用いたＰＤＡの機能ブロック図である。
図１２に示すように、第３の実施形態では、図２に示す構成に加えて照度センサ１３を含む点で、第２の実施形態と異なる。照度センサ１３は、周囲の照度を検出し、検出した照度に応じた検出信号を出力する。
図１３に示すように、本実施形態では、図３に示したユーザ設定判定部１０４に代えて照度判定部１０８を含む点で、第２の実施形態と異なる。照度判定部１０８は、プログラムに従って動作するＣＰＵによって実現される。
プライバシーアングル設定判定部１０３がプライバシーアングルの状態をオン状態であると判定したときに、照度判定部１０８は、照度センサ１３からの検出信号に基づいて、周囲の照度を判定する。また、照度判定部１０８は、判定した照度に基づいて、変換データとして白色系変換データ又は黒色系変換データのいずれを用いるかを自動判定する。
なお、照度センサ１３及び照度判定部１０８以外の構成要素の機能については、第２の実施形態で示したそれらの機能と同様である。また、各変換データを用いた表示用データの変換後の出力データについても、図５〜図１０に示したものと同様であるので、説明を省略する。
次に、動作について説明する。図１４は、第３の実施形態における照度センサ１３が検出する照度と、表示用データの変換色との関係を示す説明図である。
図１４において、縦軸は、照度センサ１３からの検出信号の値に基づいて制御部１が認識した照度である。制御部１の表示処理部１１は、照度センサ１３からの検出信号の値に基づいて、覗き見防止処理に用いる変換データを切り替える。
図１４では、照度が閾値Ａより暗い値である場合には黒色系変換データを用い、閾値Ａ以上の明るい値である場合には白色系変換データを用いる場合が示されている。また、制御部は、閾値Ａを予め設定記憶部１２に記憶しているものとする。
図１５は、第３の実施形態における覗き見防止処理を示すフローチャートである。図１５において、ステップＳ２０１，Ｓ２０２の処理は、第２の実施形態で示したステップＳ１０１，Ｓ１０２の処理と同様である。
ステップＳ２０２においてプライバシーアングルがオン状態に変更されたと判定した場合、制御部は、照度センサ１３からの検出信号を確認する（ステップＳ２０３）。
制御部は、照度センサ１３からの検出信号に基づいて周囲の照度を認識（判定）する。また、制御部は、設定記憶部１２に記憶されている閾値Ａを用いて、プライバシーアングルがオン状態に設定されているときに、変換データとして白色系変換データ又は黒色系変換データのいずれを用いるかを判定する（ステップＳ２０４）。
例えば、制御部は、照度センサ１３の検出信号に基づいて判定した照度が閾値Ａ以上である（即ち、周囲が明るい）と判断した場合には、変換データとして白色系変換データを用いると判定する。また、制御部は、照度センサ１３の検出信号に基づいて判定した照度が閾値Ａより小さい（即ち、周囲が暗い）と判断した場合には、変換データとして黒色系変換データを用いると判定する。なお、閾値Ａは、予めユーザが任意に設定することが可能である。
制御部は、ステップＳ２０４において白色系変換データを用いるか否かの判定を行い、白色系変換データを用いると判定した場合には、ステップＳ２０５の処理に移行する。そして、制御部は、変換データとして白色系変換データを設定記憶部１２から読み込む（ステップＳ２０５）。
ステップＳ２０４で白色系変換データを用いない（即ち、黒色系変換データを用いる）と判定した場合には、制御部は、ステップＳ２０６の処理に移行する。そして、制御部は、変換データとして黒色系変換データを設定記憶部１２から読み込む（ステップＳ２０６）。
ステップＳ２０２においてプライバシーアングルがオフ状態に設定されていると判定した場合には、制御部は、ステップＳ２０７の処理に移行する。即ち、ステップＳ２０７に進んだ場合、プライバシーアングルがオン状態からオフ状態に設定変更されたときである。そのため、制御部は、設定記憶部１２から通常時の通常表示データの読み込みを行う（ステップＳ２０７）。
次いで、制御部は、ステップＳ２０５、Ｓ２０６又はＳ２０７で読み込んだデータを、表示処理部１１を用いてデータ変換用テーブルとして記憶（例えば、制御部１１が備えるＲＡＭ等に記憶）する。そして、制御部は、表示部９に表示する表示用データを、表示処理部１１に記憶されているデータ変換用テーブルに基づいて変換することによってコントラスト差を小さくして、変換後の表示用データを表示部９に出力する（ステップＳ２０８）。
例えば、白色系変換データを用いる場合には、制御部は、図７及び図８に示す出力データを表示部９に表示させる。また、黒色系変換データを用いる場合には、制御部は、図９及び図１０に示す出力データを表示部９に表示させる。また、通常表示データを用いる場合には、制御部は、図５及び図６に示す出力データを表示部９に表示させる。
なお、プライバシーアングルがオフ状態に設定されていると判定した場合には、制御部は、ステップＳ２０８の変換処理を行わず、表示用データをそのまま表示部９に出力するようにしてもよい。これにより通常表示データが不要となるので、処理負担が軽減できる。
以上のように、本実施形態によれば、ユーザ操作に従って、プライバシーアングル機能を有効に設定した場合の表示部９の表示画面の色調を照度センサ１３が感知する照度により自動的に変更することができる。そのため、ユーザがいる周囲の環境に合う見やすい設定を自動的に行うことが可能であり、使い勝手が向上する。
また、照度センサ１３が感知する照度により自動的に表示部９の表示画面の色調を変更するときの閾値を、ユーザが予め制御部に設定することも可能としている。
＜第４の実施形態＞
次に、本発明の第４の実施形態を図面を参照して説明する。なお、第３の実施形態と同一構成に関しては同一符号を用いて説明を適宜省略する。
第２の実施形態では、照度センサ１３からの検出信号と１つの閾値との比較から照度を判定した。これに対して、第３の実施形態では、２つの閾値を用いて３段階に照度を判定する。このため、第３の実施形態では、設定記憶部１２は、白色系変換データ、黒色系変換データ、通常表示データ、中間色系変換データを変換データとして記憶する。この中間色系変換データは、表示用データを白色と黒色との間の中間色に変換するための変換データである。
次に、動作について説明する。図１６は、表示処理部１１が全体的に中間色に近づくように表示用データのコントラスト差を小さくする場合の中間色系データ変換テーブルである。即ち、図１６では、プライバシーアングルがオン状態に設定され、変換データとして中間系変換データを用いるように設定されている場合を示している。
図１６に示すように、中間色系変換データを用いる場合には、元データに対して全体的にデータのコントラスト差を小さくし、かつ、ＲＧＢの値が白色系と比較して暗いグレー系に近くなるように（逆に、黒色系と比較して明るいグレー系に近くなるように）データ変換が行われる。
図１７は、中間色系変換データを用いて表示用データを変換した後の出力データである。なお、図１７では、通常時における出力データと中間系変換データを用いて変換した出力データとが比較できるように併せて表示されている。通常時における出力データは、プライバシーアングルがオフ状態に設定されている場合の出力データである。中間系変換データを用いて変換した出力データは、プライバシーアングルがオン状態であり、かつ、中間系変換データを用いる旨の設定が行われている場合の出力データである。
図１７に示すように、通常時の出力データのコントラスト差が０から６３までの６４段階であるのに対して、中間色系の出力データのコントラスト差は１６から４７までの３２段階である。従って、変換後のコントラスト差が小さくなり、表示画面が見え難くなる（覗き見防止効果が得られる）。
なお、図１７においては、変換後のコントラスト差が、元のデータのＲＧＢの値の差の半分となる場合を示している。しかし、コントラスト差をどの程度小さくするかは、本実施形態で示したものに限らず、例えば、元データのＲＧＢの値の差の３分の１や３分の２に小さくするものであってもよい。
次に、動作について説明する。図１８は、第４の実施形態における照度センサ１３が検出する照度と、表示用データの変換色との関係を示す図である。
図１８において、縦軸は照度センサ１３からの検出信号の値に基づいて制御部１が認識した照度である。制御部１の表示処理部１１は、照度センサ１３からの検出信号の値に基づいて覗き見防止処理に用いる変換データを切り替える。
図１８では、照度が閾値Ｂより暗い値である場合には黒色系変換データを用い、閾値Ｂ以上かつ閾値Ｃ未満の明るさを示す値である場合には中間色系変換データを用い、閾値Ｃ以上の明るさを示す値である場合には白色変換系データを用いる場合が示されている。また、制御部は、閾値Ｂ及び閾値Ｃを予め設定記憶部１２に記憶しているものとする。
図１９は、第４の実施形態における制御部が行う覗き見防止処理を示すフローチャートである。図１９おいて、ステップＳ３０１，Ｓ３０２の処理は、第２の実施形態で示したステップＳ１０１，Ｓ１０２の処理と同様である。
ステップＳ３０２においてプライバシーアングルがオン状態に変更されたと判定した場合、制御部は、照度センサ１３からの検出信号を確認する（ステップＳ３０３）。
即ち、制御部は、照度センサ１３からの検出信号に基づいて、制御部の周囲の照度を認識（判定）する。また、制御部は、設定記憶部１２に記憶されている閾値Ｂ及び閾値Ｃを用いて、プライバシーアングルがオン状態に設定されているときに、変換データとして白色系変換データを用いるか否かを判定する（ステップＳ３０４）。
例えば、制御部は、照度センサ１３の検出信号に基づいて判定した照度が閾値Ｃ以上である（即ち、周囲が明るい）と判断した場合には、変換データとして白色系変換データを用いると判定する。制御部は、ステップＳ３０４において白色系変換データを用いるか否かの判定を行い、白色系変換データを用いると判定した場合には、ステップＳ３０５の処理に移行する。
そして、制御部は、変換データとして白色系変換データを設定記憶部１２から読み込む（ステップＳ３０５）。ステップＳ３０４で白色系変換データを用いないと判定した場合には、制御部は、変換データとして中間色系変換データを用いるか否かを判定する（ステップＳ３０６）。
例えば、制御部は、照度センサ１３の検出信号に基づいて判定した照度が閾値Ｂ以上かつ閾値Ｃ未満である（即ち、周囲の明るさが中間色の明るさである）と判断した場合には、変換データとして中間色系変換データを用いると判定する。
制御部は、ステップＳ３０６において中間色系変換データを用いるか否かの判定を行い、中間色系変換データを用いると判定した場合には、ステップＳ３０７の処理に移行する。そして、制御部は、設定記憶部１２から、変換データとして中間色系変換データの読み込みを行う（ステップＳ３０７）。
ステップＳ３０６で中間色系変換データを用いない（即ち、黒色系変換データを用いる）と判定した場合には、制御部は、ステップＳ３０８の処理に移行する。そして、制御部は、設定記憶部１２から、変換データとして黒色系変換データの読み込みを行う（ステップＳ３０８）。
なお、閾値Ｂ及び閾値Ｃの情報は、予めユーザが任意に設定することが可能である。
ステップＳ３０２においてプライバシーアングルがオフ状態に設定されていると判定した場合には、制御部は、ステップＳ３０９の処理に移行する。即ち、この場合、プライバシーアングルがオン状態からオフ状態に設定変更されたときである。そのため、制御部は、設定記憶部１２から通常時の通常表示データの読み込みを行う（ステップＳ３０９）。
次いで、制御部は、ステップＳ３０５、Ｓ３０７、Ｓ３０８又はＳ３０９で読み込んだデータを、表示処理部１１を用いてデータ変換用テーブルとして記憶（例えば、制御部１１が備えるＲＡＭ等に記憶）する。そして、制御部は、表示部９に表示する表示用データを、表示処理部１１に記憶するデータ変換用テーブルに基づいて変換することによってコントラスト差を小さくして、変換後の表示用データを表示部９に出力する（ステップＳ３１０）。
例えば、白色系変換データを用いる場合には、制御部は、図７及び図８に示す出力データを表示部９に表示させる。また、中間色系変換データを用いる場合には、制御部は、図１６及び図１７に示す出力データを表示部９に表示させる。また、黒色系変換データを用いる場合には、制御部は、図９及び図１０に示す出力データを表示部９に表示させる。また、通常表示データを用いる場合には、制御部は、図５及び図６に示す出力データを表示部９に表示させる。
なお、プライバシーアングルがオフ状態に設定されていると判定した場合には、制御部は、ステップＳ３１０の変換処理を行わず、表示用データをそのまま表示部９に出力するようにしてもよい。これにより通常表示データが不要になるので、処理負担が軽減できる。
また、本実施形態では、照度センサの検出信号に基づく照度と比較する閾値を２つ用い、白色、黒色及び中間色の３段階にコントラスト差を変換する場合を示したが、用いる閾値の数やコントラスト差の変換の仕方は、本実施形態で示したものに限られない。例えば、３つ以上の閾値を用い、さらに４段階以上にコントラスト差を変換するように構成してもよい。
以上のように、本実施形態によれば、ユーザ操作に応じてプライバシーアングル機能を有効に設定した場合の表示部９の表示画面の色調を照度センサ１３が感知する照度により自動的に変更することができる。
また、自動的に表示部９の表示画面の色調を変更するときの閾値を複数記憶することが可能である。そのため、ユーザがいる周囲の環境に合う見やすい設定を自動的に行うことが可能であり、使い勝手が向上する。
また、照度センサ１３が感知する照度により自動的に表示部９の表示画面の色調を変更するときの複数の閾値を、ユーザが予め制御部に設定することも可能としている。
なお、上記に示した各実施形態では、以下の（１）〜（８）に示すようなＰＤＡの特徴的構成が示されている。
（１）ＰＤＡは、表示用データのコントラスト差を変換するための変換データとして、複数の変換データのうちのいずれの変換データを用いるかを設定する変換データ設定部（例えば、ユーザ設定部１０１によって実現される）と、変換データ設定部によって設定された変換データを用いて、表示用データのコントラスト差を小さくする処理を行うデータ変換部（例えば、データ変換部１０６によって実現される）と、データ変換部によって変換された表示用データに基づいて、表示画面の表示内容を変更する表示変更部（例えば、表示変換部１０７によって実現される）とを備えたことを特徴とする。
（２）ＰＤＡにおいて、変換データ設定部は、変換データとして、表示画面が全体的に白色に近づくようにコントラスト差を変換するための白色系変換データと、表示画面が全体的に黒色に近づくようにコントラスト差を変換するための黒色系変換データとのいずれの変換データを用いるかを設定するように構成されていてもよい。
（３）ＰＤＡは、照度センサ（例えば、照度センサ１３）を用いて周囲の照度を判定し、判定した照度に基づいて表示用データのコントラスト差を変換するための変換データとして、複数の変換データのうちのいずれの変換データを用いるかを判定する変換データ判定部（例えば、照度判定部１０８によって実現される）と、変換データ判定部によって判定された変換データを用いて、表示用データのコントラスト差を小さくする処理を行うデータ変換部（例えば、データ変換部１０６によって実現される）と、データ変換部によって変換された表示用データに基づいて、表示画面の表示内容を変更する表示変更部（例えば、表示変換部１０７によって実現される）とを備えるように構成されていてもよい。
（４）ＰＤＡにおいて、変換データ判定部は、変換データとして、表示画面が全体的に白色に近づくようにコントラスト差を変換するための白色系変換データと、表示画面が全体的に黒色に近づくようにコントラスト差を変換するための黒色系変換データとのいずれの変換データを用いるかを判定するように構成されていてもよい。
（５）ＰＤＡにおいて、変換データ判定部は、照度が所定の閾値（例えば、閾値Ａ）以上であるか否かを判定し、照度が所定の閾値以上であるか否かの判定結果に基づいて、複数の変換データのうちのいずれの変換データを用いるかを判定するように構成されていてもよい。
（６）ＰＤＡにおいて、変換データ判定部は、照度が所定の閾値以上であると判定すると、変換データとして、表示画面が全体的に白色に近づくようにコントラスト差を変換するための白色系変換データを用いると判定し、照度が所定の閾値未満であると判定すると、変換データとして、表示画面が全体的に黒色に近づくようにコントラスト差を変換するための黒色系変換データを用いると判定するように構成されていてもよい。
（７）ＰＤＡにおいて、変換データ判定部は、照度を複数の閾値と比較する処理を行い、照度を複数の閾値と比較した結果に基づいて、複数の変換データのうちのいずれの変換データを用いるかを判定するように構成されていてもよい。
（８）ＰＤＡにおいて、変換データ判定部は、照度が第１の閾値（例えば、閾値Ｃ）以上であると判定すると、変換データとして、表示画面が全体的に白色に近づくようにコントラスト差を変換するための白色系変換データを用いると判定し、照度が第１の閾値未満であり且つ第２の閾値（例えば、閾値Ｂ）以上であると判定すると、変換データとして、表示画面が全体的に白色と黒色との間の中間色に近づくようにコントラスト差を変換するための中間色系変換データを用いると判定し、照度が第２の閾値未満であると判定すると、変換データとして、表示画面が全体的に黒色に近づくようにコントラスト差を変換するための黒色系変換データを用いると判定するように構成されていてもよい。
上述した本発明は、ユーザ操作に従って覗き見防止機能を動作させた場合に、ユーザが予め設定した条件に該当する表示方法に従って表示装置への表示を行う用途に適用できる。
以上、各実施形態を参照して本願発明を説明したが、本願発明は上記実施形態及び実施例に限定されものではない。本願発明の構成や詳細には、本願発明のスコープ内で当業者が理解し得る様々な変更をすることができる。この出願は、２００９年１月２６日に出願された日本出願特願２００９−０１４４３１を基礎とする優先権を主張し、その開示の全てをここに取り込む。
【符号の説明】
【０００８】
１  制御部
２  無線部
３  アンテナ
４  電源部
５  送話部
６  受話部
７  スピーカ
８  操作部
９  表示部
１０  記憶装置
１１  表示処理部
１２  設定記憶部
１３  照度センサ
１０１  ユーザ設定部
１０２  プライバシーアングル設定部
１０３  プライバシーアングル設定判定部
１０４  ユーザ設定判定部
１０５  変換データ読込部
１０６  データ変換部
１０７  表示変換部
１０８  照度判定部
【図１】
2010084678.tif 000003
【図２】
2010084678.tif 000004
【図３】
2010084678.tif 000005
【図４】
2010084678.tif 000006
【図５】
2010084678.tif 000007
【図６】
2010084678.tif 000008
【図７】
2010084678.tif 000009
【図８】
2010084678.tif 000010
【図９】
2010084678.tif 000011
【図１０】
2010084678.tif 000012
【図１１】
2010084678.tif 000013
【図１２】
2010084678.tif 000014
【図１３】
2010084678.tif 000015
【図１４】
2010084678.tif 000016
【図１５】
2010084678.tif 000017
【図１６】
2010084678.tif 000018
【図１７】
2010084678.tif 000019
【図１８】
2010084678.tif 000020
【図１９】
2010084678.tif 000021
【国際調査報告】
2010084678.tif 000022
2010084678.tif 000023
2010084678.tif 000024
2010084678.tif 000025
2010084678.tif 000026
2010084678.tif 000027
2010084678.tif 000028
2010084678.tif 000029